(57)【特許請求の範囲】
【請求項１】
前後に針床を有する横編機で、表目と裏目とが混在するリブパターンの編地編成を開始するための編出し方法において、
編幅の一端側に最初の起点編目を形成し、
起点編目を他端側に位置する空き針に移動し、該起点編目に続く次の起点編目を形成することを繰り返すことで、順次一端側から他端側に向って延びる複数の起点編目で形成されたウエール組織の起点編目列を形成するとともに、
起点編目と次の起点編目との間に少なくとも一方の起点編目に繋がる増し目を編地の表目と裏目の配列に対応する位置に形成するステップ、および
形成された増し目に続けて編地を編成するステップを有する、
ことを特徴とする編出し方法。
【請求項２】
前記起点編目列の一連のウエール組織は、表目と裏目とがウエール方向に混在する、
ことを特徴とする請求項１記載の編出し方法。
【請求項３】
前記起点編目列は、前記リブパターンの表目と裏目の配列とは逆となるように、起点編目としてリブパターンの表目の位置では裏目、裏目の位置では表目で形成する、
ことを特徴とする請求項２記載の編出し方法。
【請求項４】
前記増し目は、前記起点編目の移動によって設ける空き針に対する掛け目で形成する、
ことを特徴とする請求項１〜３のいずれか一つに記載の編出し方法。
【請求項５】
前記増し目は、前後の一方の針床の編針に係止する前記起点編目を、割増やしで、他の針床で対応する編針に移動させるとともに、該一方の針床の編針に新たな編目として形成する、
ことを特徴とする請求項１〜３のいずれか一つに記載の編出し方法。
【発明の詳細な説明】
【技術分野】
【０００１】
本発明は、横編機で編地の編成を開始する際に、編幅の一端側から他端側に向って一目ずつ編目を形成しながら行う編出し方法に関する。
【背景技術】
【０００２】
従来から、横編機では、少なくとも前後に針床を備えているので、表目と裏目とがコース方向で混在するリブ組織の編地を編成可能である。リブ組織は、セーターなどの衣料品編地の裾などに用いられる。衣料品編地を横編機で編成する際には、裾から編成を開始するので、リブ組織の編地を編出す必要がある（たとえば、特許文献１参照）。
【０００３】
特許文献１に記載されているような編出し方法では、編出し部分で、リブ状の編目（第６図ｂ，ｃ）の編成後、平袋編コース（第６図ｄ〜ｇ）を編成することで、編目組織が固定される一方、編出し部分に繋がるリブ編地は縮むので、編糸やループ長などの編成条件により編出し部分がリブ組織に対して少し広がる場合が生じる。また、前後に分岐する編地に対する編出しに、割増やしを使用する編出し方法も提案されている（たとえば、特許文献２参照）。特許文献２では、抜き糸の編目に続いて、編出しの基端コースを、編幅の一端側から他端側に向って、一目ずつ割増やしながら編目を形成することで、緩みのない編出し部が編成可能であると説明されている。
【先行技術文献】
【特許文献】
【０００４】
【特許文献１】特開昭６０−１９４１５４号公報
【特許文献２】特開２０１２−１０２４１０号公報
【発明の概要】
【発明が解決しようとする課題】
【０００５】
特許文献１に示されるような編出し方法では、編出し部分が広がり気味に固定されてしまう。したがって、特に編組織が縮むリブ組織を編出す場合、編出し部分の編地幅がリブ組織の編地の編幅に比べて大きくなるおそれがある。特許文献２に示される編出し方法は、２枚のブレードに分れるスライダーを備える複合針を編針として使用する横編機を用いた分岐する編地に対する編出し方法で、編出し部分に続く編地の編組織による伸縮量に係わらず同じ組織を繰返す編出し部分が形成される。
【０００６】
本発明の目的は、編出し後にウエール方向で連続する編地に、編出し部分の広がりを抑え、編地幅を合せることが可能な、編出し方法を提供することである。
【課題を解決するための手段】
【０００７】
本発明は、前後に針床を有する横編機で、表目と裏目とが混在するリブパターンの編地編成を開始するための編出し方法において、
編幅の一端側に最初の起点編目を形成し、
起点編目を他端側に位置する空き針に移動し、該起点編目に続く次の起点編目を形成することを繰り返すことで、順次一端側から他端側に向って延びる複数の起点編目で形成されたウエール組織を形成するとともに、
起点編目と次の起点編目との間に少なくとも一方の起点編目に繋がる増し目を編地の表目と裏目の配列に対応する位置に形成するステップ、および
形成された増し目に続けて編地を編成するステップを有する、
ことを特徴とする編出し方法である。
【０００８】
また本発明で、起点編目が形成する一連のウエール組織は、表目と裏目とがウエール方向に混在する、
ことを特徴とする。
【０００９】
また本発明で、前記起点編目列は、前記リブパターンの表目と裏目の配列とは逆となるように、起点編目としてリブパターンの表目の位置では裏目、裏目の位置では表目を形成する、
ことを特徴とする。
【００１０】
また本発明で、前記増し目は、前記起点編目の移動によって設ける空き針に対する掛け目で形成する、ことを特徴とする。
【００１１】
また本発明で、前記増し目は、前後の一方の針床の編針に係止する前記起点編目を、割増やしで、他方の針床で対向する編針に移動させるとともに、該一方の針床の編針に新たな編目として形成する、
ことを特徴とする。
【発明の効果】
【００１２】
本発明によれば、編地の編成を開始するための編目で、一端側から他端側に向って延びる複数の起点編目がウエール組織を形成する。編目がコース方向に並ぶことでコース方向に伸び易い状態となる特許文献１等の編出し部分に対し、伸びが抑えられるウエール方向に編目が繋がる状態となり、編出し部分の広がりを抑え、編地幅を合せることが可能となる。
【００１３】
また本発明によれば、複数の起点編目における一連のウエール組織は、表目と裏目とがウエール方向に混在することで、表目と裏目が変化する箇所で折れ曲がるウエール方向に縮み、編出し部分の広がりを抑え、コース方向に縮めることができる。
【００１４】
また本発明によれば、起点編目列で、リブパターンの表目と裏目とは逆となるように、起点編目をリブパターンの表目の位置では裏目、裏目の位置では表目を形成する。リブパターンの編目がカールしやすい特性に合わせた編出し部分を形成して、リブパターンの編地に追従させて、編出し部分の編地幅を合わせることが可能になる。
【００１５】
また本発明によれば、増し目は、起点編目の移動によって設ける空き針に対する掛け目で形成するので、ウエール方向に繋がる掛け目を残しながら一目ずつ起点編目を形成することができる。
【００１６】
また本発明によれば、増し目は、割増やしで、起点編目に対して新たな編目として形成するので、増し目を形成する際に渡り糸長が抑えられ、目の詰んだ編出しを行うことができる。
【図面の簡単な説明】
【００１７】
【図１】図１は、本発明の実施例１として、増し目を掛け目で形成する編出し方法を、２枚ベッドの横編機で実施する状態を示す編成図である。
【図２】図２は、図１の編出し方法、およびその応用によって編出された編地３，１０の編目構造を示す図である。
【図３】図３は、図１の編出し方法で、起点編目列９の編目構造でリブ編地の巻き特性による凹凸に合わせやすくする効果を示す図である。
【図４】図４は、本発明の実施例２として、増し目を割増やしで形成する編出し方法を、２枚ベッドの横編機で実施する状態を示す編成図である。
【発明を実施するための形態】
【００１８】
以下、図１、図２および図３で、本発明の実施例１としての編出し方法を説明する。図４で、本発明の実施例２としての編出し方法を説明する。いずれの実施例でも、編目構造として表目１と裏目２とが２目ずつコース方向に混在する２×２リブパターンの編地３について説明するけれども、リブパターンとしては、１×１や３×３、２×１や４×２なども同様に対応させることができる。
【００１９】
各実施例で、同等の部分は、同一の参照符を付して重複する説明を省略することがある。また、説明対象の図には記載されていない部分について、他の図に記載される参照符を付して言及する場合がある。編出す方向としては、左方から右方に向う場合について説明するけれども、右方から左方に向う場合も同様に行うことができる。なお、横編機で使用する編針は、べら針でも、２枚のブレードに分れるスライダーを備える複合針でもよい。さらに、２枚ベッドの横編機を使用して編出す場合を説明しているけれども、前後に上下２段の針床を備える４枚ベッドの横編機では、前針床下段および後針床上段と、後針床下段および前針床上段とで、それぞれリブ組織の編地を編出す方法として本発明を適用することができる。
【００２０】
なお、図１および図４の編成図は、左側に示すＳおよびＴにそれぞれ続く数字で編成工程を、右側で前後の針床における編針での編出し状態を示す。編出し状態のうち、矩形の枠内部は編針の係止状態として、丸印は編目を、Ｖ字印は掛け目を、黒点は空き針を、矢印は目移し方向を、それぞれ示す。編目および掛け目が新たに形成された直後は、黒丸印および太字によるＶ字印でそれぞれ示す。編針は、説明の便宜上、実際の編成に使用する場合よりも少なく表示し、前針床（以下、ＦＢと表記する）と、後針床（以下、ＢＢと表記する）とに属するものを、編針Ａ，Ｂ，Ｃ，Ｄ，Ｅ，Ｆ，Ｇと編針ａ，ｂ，ｃ，ｄ，ｅ，ｆ，ｇとで、それぞれ示す。各編成工程は、編成カムおよび目移しカムを搭載するキャリッジの移動と、キャリッジの移動に連動する給糸口の移動とに対応する。ただし、キャリッジに搭載するカムの数や構成に応じて、キャリッジの移動が複数の編成工程に対応する場合や、キャリッジの複数回の移動が一つの編成工程に対応する場合がある。
【実施例１】
【００２１】
図１は、本発明の実施例１として、前後に針床を有する２枚ベッドの横編機で編地３を編成するための編成図である。編成図の枠外部で、逆三角印は給糸口を、矢印は給糸口の移動方向を、それぞれ示す。編成工程は、Ｓ０からＳ１３で示す。
【００２２】
図１での編出しの前の準備として、編針Ａ〜Ｇに抜き糸４による編目を形成する。ただし、抜き糸４による編目は、Ｓ０のみで示し、他では省略する。また、抜き糸４を使用しないことも可能である。編出しは、編幅の一端側となる編針Ａから他端側となる編針Ｇに向って一目ずつ掛け目７を形成しながら行う。
【００２３】
Ｓ０では、編幅の一端側となるＦＢの編針Ａに最初の起点編目５を設定する。次のＳ１では、ＦＢの編針ＡからＢＢの編針aに抜き糸の編目を目移しし、給糸口６を右行させて編針ａでニットし、新たな編目として次の起点編目５ａを形成する。起点編目５ａは、ＢＢで形成されるので、裏目２となる。
【００２４】
S２では、給糸口６を左方に移動し、起点編目５ａを編針ａから編針Ｂに、針床のラッキングと目移しとで移動させる。これによって、起点編目５ａは、編幅の他端側に隣接する空き針Ｂに移動する。Ｓ３では、給糸口６を右行させて、編針Ａに掛け目７を形成し、編針Ｂに、掛け目７にコース方向に繋がる起点編目５ｂを形成する。Ｓ４では、給糸口６を左行させるとともに、起点編目５ｂは、表目１として針床のラッキングと目移しとで、編針Ｂから編針Ｃに移動させて編針Ｂを空き針とし、掛け目７は、そのまま編針Ａに残す。
【００２５】
Ｓ５では、給糸口６を右行させて、編針Ｂに掛け目７、編針Ｃに係止する起点編目５ｂに新たな編目として起点編目５ｃを表目１で形成する。Ｓ６では、給糸口６を左行させて、Ｓ５で形成した掛け目７を編針Ｂから移動させてＢＢの編針ｂに配置し、起点編目５ｃは編針ｄに移動させる。
【００２６】
Ｓ７では、給糸口６を右行させて、編針ｃに掛け目７、編針ｄに係止する起点編目５ｃに新たな編目として起点編目５ｄを裏目２で形成する。Ｓ８では、給糸口６を左行させて、Ｓ７で形成した掛け目７を編針ｃに残し、起点編目５ｄは編針ｅに移動させて、編針ｄを空き針にする。
【００２７】
Ｓ９では、給糸口６を右行させて、編針ｄに掛け目７、編針ｅに係止する起点編目５ｄに新たな編目として起点編目５ｅを裏目２で形成する。Ｓ１０では、給糸口６を左行させて、Ｓ９で形成した掛け目７を編針ｄから移動させて編針Ｄに配置し、起点編目５ｅは編針Ｆに移動させる。
【００２８】
Ｓ１１では、給糸口６を右行させて、編針Ｅに掛け目７、編針Ｆに係止する起点編目５ｅに新たな編目として起点編目５ｆを表目１で形成する。Ｓ１２では、給糸口６を左行させて、Ｓ１１で形成した掛け目７を編針Ｅに残し、起点編目５ｆは編針Ｇに移動させて、編針Ｆを空き針にする。
【００２９】
Ｓ１３では、給糸口６を右行させて、編針Ｆに掛け目７、編針Ｇに係止する起点編目５ｆに新たな編目として起点編目５ｇを表目１で形成する。以下、起点編目に繋がる増し目を掛け目７で形成する工程と、増し目にウエール方向で繋がるリブパターンの編目構造（表目または裏目）に合わせて、増し目７を前針床ＦＢまたは後針床ＢＢに配置して残す工程と、起点編目を編幅の他端側に隣接する空き針に移動し、次の起点編目新たな編目として形成する工程とを、繰返している。これによって、前の起点編目を空き針に移動させ、繋がった編糸で掛け目７とともにニットとで形成することを繰返したものが起点編目５ａ，５ｂ，５ｃ，５ｄ，５ｅ，５ｆ，５ｇとなる。以下、起点編目５ａ，５ｂ，５ｃ，５ｄ，５ｅ，５ｆ，５ｇを総称する場合、起点編目５として表記する。複数の起点編目５は、ウエール方向に繋がる起点編目列９となり、表目１と裏目２とがウエール方向に混在する編目組織としてのウエール組織を形成する。
【００３０】
以上の手順は、順次一端側から他端側に向って延びる複数の起点編目５ａ，５で形成されたウエール組織の起点編目列９を形成するとともに、起点編目５ａ，５と次の起点編目５との間に少なくとも一方の起点編目５ａ，５に繋がる増し目７を編地３，１０の表目１と裏目２の配列に対応する位置に形成するステップ、および形成された増し目７に続けて編地を編成するステップを有する。
【００３１】
なお、Ｓ３、Ｓ５、Ｓ７、Ｓ９、Ｓ１１、Ｓ１３では、掛け目７と起点編目５の新たな編目の形成とを隣接する編針で行っているけれども、同じ針床、または異なる針床に離れている編針に形成することもできる。隣接する編針に形成する場合は、渡り糸を短くすることができる。
【００３２】
図２は、図１の編出し方法、およびその応用によって編出された編地３，１０の編目構造をそれぞれ示す。なお、編地３，１０には、抜き糸４による編目も示しているけれども、抜き糸４を除去することによって、起点編目列９，１１が編地３，１０の編端部となる。図２（ａ）では、本実施例１に従い、増し目となる掛け目７と、起点編目列９を形成する起点編目５ａ，５ｂ，５ｃ，５ｄ，５ｅの形成とを一回ずつ行いながら編出しを行っている。起点編目５ａ，５ｂ，５ｃ，５ｄ，５ｅは、掛け目７間を繋ぐ編目であり、図１のＳ１，Ｓ３，Ｓ５，Ｓ７，Ｓ９でそれぞれ裏目２、表目１、表目１、裏目２、裏目２として形成している。起点編目５ａ，５ｂ，５ｃ，５ｄ，５ｅにコース方向で繋がる掛け目７には、編地３のリブパターンの表目１、裏目２、裏目２、表目１、表目１がそれぞれウエール方向に繋がっているので、それぞれの掛け目７に繋がる起点編目５とは異なる編目になる。すなわち、起点編目５は、掛け目７に繋がる編地３のリブパターンの編目が表目１であれば裏目２、裏目２であれば表目１として形成する。起点編目５の編成では、旧ループに関係なく、新たにニットする際に表目１とするか裏目２とするかで、形成箇所での折り曲がり易い方向が決まる。起点編目５を、リブパターンに合わせて、ただし、リブパターンとは表目１と裏目２とを逆の組織にすることによって、図３で説明するように、リブパターンの巻き特性に合わせることができる。なお、掛け目７による増し目は、該掛け目７に隣接する編針に形成される新たな起点編目５と、新たな起点編目５の形成直前の起点編目５との両方に繋がっている。
【００３３】
図２（ｂ）では、実施例１の応用として、一回の増し目に対し、起点編目５の形成を二回ずつ行う起点編目列１１を形成して編出している。起点編目列１１を形成する起点編目５が多くなるので、伸びが少ない編糸を使用する場合、編地３のリブパターンの伸びに編出し部分の伸びを合わせることができる。
【００３４】
図３は、図１の編出し方法で、起点編目列９の編目構造でリブパターンの巻き特性による凹凸に合わせやすくする効果を示す。図３（ａ）に示すように、リブパターンでコース方向に表目１と裏目２とが連続して並ぶ場合、表目１は中間部分が凸、裏目２は中間部分が凹になるような巻き特性１ｃ，２ｃをそれぞれ有する。図３（ｂ）は、ウエール方向に表目１と裏目２とが連続して並ぶ場合の巻き特性１ｗ，２ｗをそれぞれ示す。表目１の巻き特性１ｗでは中間部分が凹、裏目２の巻き特性２ｗでは中間部分が凸になる。図３（ｃ）に示すように、編地３の編地組織が表目１の部分であれば起点編目列９で裏目２の起点編目５で繋ぎ、編地３の編地組織が裏目２の部分であれば起点編目列９で表目１の起点編目５で繋ぐ。そのため、編地３のリブ組織がカールする方向に編出し部分の起点編目列９を追従して伸縮させ、編地幅を合わせることができる。
【実施例２】
【００３５】
図４は、本発明の実施例２として、増し目を割増やしで形成する編出し方法を、２枚ベッドの横編機で実施する状態を示す。横編機は、割増やしが可能であるものを使用する。編出し後には、実施例１と同様な２×２リブパターンの編地３を、割増やしで増し目を形成することを除いて、同等の条件で編成する。編成図は、給糸口を省略する点を除き、図１と同様に示す。
【００３６】
Ｔ０では、編幅の一端側となるＦＢの編針Ａに最初の起点編目１５ａを表目１として形成する。Ｔ１では、割増やしで、起点編目１５ａをＢＢの編針ａに移動させながら、ＦＢの編針Ａに表目１として増し目１７を形成する。Ｔ２では、起点編目１５ａを、ＦＢを経由してＢＢの編針ｂに移動させる。
【００３７】
Ｔ３では、編針ｂの起点編目１５ａにニットして起点編目１５ｂを裏目２として新たな編目を形成する。Ｔ４では、割増やしで、起点編目１５ｂをＦＢの編針Ｂに移動させながら、ＢＢの編針ｂに裏目２として増し目１７を形成する。Ｔ５では、起点編目１５ｂをＢＢの編針ｃに移動させる。
【００３８】
Ｔ６では、編針ｃの起点編目１５ｂにニットして起点編目１５ｃを裏目２として新たな編目を形成する。Ｔ７では、割増やしで、起点編目１５ｃをＦＢの編針Ｃに移動させながら、ＢＢの編針ｃに裏目２として増し目１７を形成する。Ｔ８では、起点編目１５ｃをＦＢの編針Ｄに移動させる。
【００３９】
Ｔ９では、編針Ｄの起点編目１５ｃにニットして起点編目１５ｄを表目１として新たな編目を形成する。Ｔ１０では、割増やしで、起点編目１５ｄをＢＢの編針ｄに移動させながら、ＦＢの編針Ｄに表目１として増し目１７を形成する。Ｔ１１では、起点編目１５ｄをＦＢの編針Ｅに移動させる。
【００４０】
以下、同様にして、起点編目１５ａ，１５ｂ，１５ｃ，１５ｄを総称する起点編目１５にウエール方向で繋がる増し目１７を形成する工程と、起点編目１５を編幅の他端側に隣接する空き針に移動して次の起点編目１５を形成する工程とを行う。増し目１７は、ウエール方向で繋がるリブパターンの編目構造に合わせて、前針床ＦＢまたは後針床ＢＢに配置する。これらの工程の繰返しで、編出しを行う。増し目１７は、割増やしで、起点編目１５に対して新たな編目として形成するので、増し目１７を形成する際に渡り糸長が抑えられ、目の詰んだ編出しを行うことができる。割増やしによる増し目１７は、割増やしで移動した起点編目１５に対して新たな編目として形成する次の起点編目１５とは縁が切れるけれども、割増やしで移動する起点編目１５には繋がっている。
【００４１】
なお、本実施例２では、起点編目１５ａ，１５での編目の配列がリブパターンの表目１と裏目２の配列と同じになるけれども、一端側から他端側に向ってウエール方向に繋がる編目組織を形成する。編目がコース方向に並ぶことでコース方向に伸び易い状態となる特許文献１等の編出し部分に対し、伸びが抑えられるウエール方向に編目が繋がる状態の編出し部分となり、編出し部分の広がりを抑えて、編出し部分の編地幅を合せることが可能となる。ただし、割増やしの前に、起点編目を対向する針床に目移ししておけば、編目組織の配列をリブパターンの配列と逆になるようにして、実施例１と同様に、リブパターンの編目がカールしやすい特性に合わせた編出し部分を形成して、リブパターンの編地に追従させて、編出し部分の編地幅を合わせることが可能になる。
【符号の説明】
【００４２】
１  表目
２  裏目
３，１０  編地
４  抜き糸
５，５ａ，５ｂ，５ｃ，５ｄ，５ｅ，５ｆ，５ｇ；１５，１５ａ，１５ｂ，１５ｃ，１５ｄ  起点編目
６  給糸口
７  掛け目
９，１１  起点編目列
１７  増し目
【図１】
0006347678.tif 000002
【図２】
0006347678.tif 000003
【図３】
0006347678.tif 000004
【図４】
0006347678.tif 000005